(57)【要約】【課題】新規項目追加や項目削除等を行う帳票の改造を容易に行うことができ、複数サーバの各データベースのデータを１台の端末装置で一元管理することができ、また、端末装置を単独で更新可能としてこれ以外の余計なコストの発生を無くすこと。【解決手段】ネットワーク１３にＷＥＢサーバ３２を接続する。ＷＥＢサーバ３２に、複数のＤＢ１１−１〜１１−ｎ毎に１対１で割当てられ、このＤＢ１１−１〜１１−ｎにのみ接続する処理を行う各ＤＢ接続エンジン５５−１〜５５−Ｎと、パソコン端末装置３４−１からの接続先指示に応じたＤＢ接続エンジン５５−１を選択し、このエンジン５５−１を介して該当ＤＢ１１−１からデータを取得し、この取得データを組み込んで帳票ファイルを作成する帳票作成処理部５３とを備える。パソコン端末装置３４−１にて、ＷＥＢブラウザ４１で帳票ファイルを受信して表計算ソフトウェア４２で編集及び管理する。【選択図】      図１
2008250645.tif 000002
【特許請求の範囲】
【請求項１】
データが記憶されるデータベースを有する複数のサーバと、これらサーバに通信用のネットワークを介して接続された通信情報処理用の複数の端末装置とを有し、これら端末装置にてサーバのデータベースからデータを取得して帳票を作成する帳票作成管理システムにおいて、
前記端末装置に、情報の受信閲覧処理を行うＷＥＢブラウザと、このＷＥＢブラウザの処理でネットワークを介して受信されるデータの表示、編集及び管理処理を行う表計算ソフトウェアとを備え、
前記サーバと前記端末装置間のネットワークに、前記端末装置のＷＥＢブラウザの命令に応じてデータを当該端末装置へ送信するＷＥＢサーバを接続し、このＷＥＢサーバに、前記複数のサーバのデータベース毎に１対１で割当てられ、この割当てられたデータベースにのみ接続する処理を行う複数のＤＢ接続エンジンと、前記端末装置からの接続先の指示に応じたＤＢ接続エンジンを選択し、この選択されたＤＢ接続エンジンを介して該当データベースからデータを取得し、この取得データを組み込んで帳票ファイルを作成する帳票作成処理部とを備え、
前記端末装置にて、前記ＷＥＢブラウザで前記帳票ファイルを受信し、この帳票ファイルを前記表計算ソフトウェアで編集及び管理することを特徴とする帳票作成管理システム。
【請求項２】
前記ＷＥＢサーバは、前記データベースからのデータ取得条件及び取得データの貼付先を定義するデータ取得定義シートと、その定義に応じて取得されたデータを貼り付け、このデータに対する所定の計算を行う計算シートと、この計算シートの計算結果を含むデータを貼り付ける帳票のレイアウトを定義するフォーマットシートとを、各々複数種類保存する定義情報共有フォルダを更に備え、
前記帳票作成処理部は、前記端末装置での指示を含む帳票作成指示情報に応じて、前記定義情報共有フォルダに保存された該当の前記データ取得定義シート、前記計算シート、前記フォーマットシートを読込み、この読込んだデータ取得定義シートからデータベースのデータの取得指示及び取得データの貼付先を抽出してリレーショナルデータベース操作言語文に組込み、前記指示に応じたＤＢ接続エンジンを介して前記リレーショナルデータベース操作言語文を元に該当データベースから目的のデータを取得し、この取得データを該当計算シートに貼り付けて計算し、この計算結果を含む計算シートのデータを前記フォーマットシートに貼り付けて前記帳票ファイルを作成することを特徴とする請求項１に記載の帳票作成管理システム。
【請求項３】
前記ＷＥＢサーバに、前記帳票ファイルを保存する作成済み帳票共有フォルダを更に備え、
前記端末装置は、前記表計算ソフトウェアの処理により前記作成済み帳票共有フォルダから所望の帳票ファイルを受信し、この中の前記データ取得定義シート又は前記計算シートを表示して変更し、この変更後のデータ取得定義シート又は計算シートを前記定義情報共有フォルダに保存することを特徴とする請求項２に記載の帳票作成管理システム。
【請求項４】
データが記憶されるデータベースを有する複数のサーバと、これらサーバに通信用のネットワークを介して接続され、情報の受信閲覧処理を行うＷＥＢブラウザ及び当該ＷＥＢブラウザの処理で受信されるデータの編集及び管理処理を行う表計算ソフトウェアとを有する複数の端末装置と、この端末装置と複数のサーバ間のネットワークに接続され、ＷＥＢブラウザの命令に応じてデータを該当端末装置へ送信するＷＥＢサーバ機能を有する帳票作成管理装置において、
前記複数のサーバのデータベース毎に１対１で割当てられ、この割当てられたデータベースにのみ接続する処理を行う複数のＤＢ接続エンジンと、前記端末装置からの指示に応じたＤＢ接続エンジンを選択し、この選択されたＤＢ接続エンジンを介して該当データベースからデータを取得し、この取得データを組み込んで帳票ファイルを作成する帳票作成処理部と、その作成された帳票ファイルを前記端末装置のＷＥＢブラウザで受信可能に保持する作成済み帳票共有フォルダとを備えたことを特徴とする帳票作成管理装置。
【請求項５】
前記データベースからのデータ取得条件及び取得データの貼付先を定義するデータ取得定義シートと、その定義に応じて取得されたデータを貼り付け、このデータに対する所定の計算を行う計算シートと、この計算シートの計算結果を含むデータを貼り付ける帳票のレイアウトを定義するフォーマットシートとを、各々複数種類保存する定義情報共有フォルダを更に備え、
前記帳票作成処理部は、前記端末装置での指示を含む帳票作成指示情報に応じて、前記定義情報共有フォルダに保存された該当の前記データ取得定義シート、前記計算シート、前記フォーマットシートを読込み、この読込んだデータ取得定義シートからデータベースのデータの取得指示及び取得データの貼付先を抽出してリレーショナルデータベース操作言語文に組込み、前記指示に応じたＤＢ接続エンジンを介して前記リレーショナルデータベース操作言語文を元に該当データベースから目的のデータを取得し、この取得データを該当計算シートに貼り付けて計算し、この計算結果を含む計算シートのデータを前記フォーマットシートに貼り付けて前記帳票ファイルを作成することを特徴とする請求項４に記載の帳票作成管理装置。
【請求項６】
前記定義情報共有フォルダは、前記端末装置で作成された前記データ取得定義シート又は前記計算シートを前記ＷＥＢブラウザの処理に応じて保存することを特徴とする請求項５に記載の帳票作成管理装置。
【発明の詳細な説明】
【技術分野】
【０００１】
本発明は、工場の生産量等の操業に係わるデータを記憶したデータベースから必要なデータを端末装置に読込んで、各工場の操業日報等の帳票を作成並びに管理する帳票作成管理システム及び帳票作成管理装置に関する。
【背景技術】
【０００２】
従来、データベースから必要なデータを読込んで帳票を作成並びに管理するシステムとして、例えば図１７に示す帳票作成管理システム１０がある。
この帳票作成管理システム１０は、種々のデータが記憶される専用のＤＢ（データベース）１１−１，１１−２，１１−３，…，１１−ｎを各々が有する複数のサーバ１２−１，１２−２，１２−３，…，１２−ｎと、これらサーバ１２−１〜１２−ｎに１対１の関係で通信用のネットワーク１３を介して接続されたパソコン端末装置１４−１，１４−２，１４−３，…，１４−ｎとを備えて構成されている。
【０００３】
各パソコン端末装置１４−１〜１４−ｎは、各々が１対１で専用のサーバのＤＢに接続するためのＤＢ接続エンジン１５−１，１５−２，１５−３，…，１５−ｎと、その専用のサーバのＤＢから取得したデータを元に帳票を作成する帳票作成装置１６−１，１６−２，１６−３，…，１６−ｎとを備えている。
また、各パソコン端末装置１４−１〜１４−ｎは、同一の場所以外に異なる場所に設置されることもあり、本例ではパソコン端末装置１４−１，１４−２が事務所１７−１に設置され、パソコン端末装置１４−３，…，１４−ｎが事務所１７−ｎに設置されている。更に、各事務所１７−１，１７−ｎには、ネットワーク１３に接続されたプリンタ１８−１，１８−ｎも設置され、各パソコン端末装置１４−１〜１４−ｎで作成された帳票１９−１，１９−２，１９−３，…，１９−ｎがプリントアウトされるようになっている。
【０００４】
このような構成の帳票作成管理システム１０によって、管理者が所望のパソコン端末装置１４−１〜１４−ｎを操作することによって、所定のサーバ１２−１〜１２−ｎのＤＢ１１−１〜１１−ｎから必要なデータを読込んで所望の帳票を作成し、これを画面表示やプリントアウトすることができる。
この種の従来技術として、例えば特許文献１に記載の帳票作成方法および帳票作成プログラムがある。この特徴は、端末装置で動作する表計算ソフトウェアを利用して利用者毎に異なる帳票レイアウトを定義した帳票ファイルをＩＤ番号で管理し、各帳票ファイルで必要なデータをサーバ内の中間ファイルに集約し、その中間ファイルから必要なデータを帳票レイアウトに書き込むことで帳票を作成し、これを端末装置へ送信するといったものである。
【特許文献１】特開２００３−１４１４３９号公報
【発明の開示】
【発明が解決しようとする課題】
【０００５】
しかし、上記特許文献１においては、次のような問題がある。
帳票出力様式をカスタマイズする場合、利用者毎に帳票出力アプリケーションプログラムを開発・修正する作業は不要となっているが、サーバのデータ項目追加削除や項目名称が発生した場合、そのプログラムの改造が必要となり、専門知識を有するプログラマーの対応が必要となるため、容易に対応することができない。
また、過去のデータを含めた多くのデータから最大値や最小値を抽出したり、昇順や降順に並べ替えたりする場合、中間ファイルに全てのデータを集める必要があるが、ファイルの容量や通信負荷に限界があるため困難であり、帳票に表示できるデータに制約がある。
【０００６】
また、１台のサーバ専用の帳票出力アプリケーションとして開発するため、サーバ毎に帳票出力アプリケーションプログラムを用意する必要があり、１台の端末装置にて各サーバのデータを集約することができない。つまり、１台の端末装置ではこれに対応付けられている１台のサーバのデータしか取得することができないので、サーバ毎に出力される帳票を一元管理することができない。このため、各端末装置の設置場所が分散されている場合、各端末装置から帳票を集めるために時間と労力を要してしまったり、各サーバの帳票を比較検討するといった場合にそれを効率良く行ったりすることができない。
【０００７】
また、端末装置にてサーバのＤＢからデータを直接収集して帳票を作成する場合、前述で説明したように、サーバのＤＢに接続するためのＤＢ接続エンジンを端末装置にインストールする必要があるが、そのＤＢ接続エンジンは端末装置の機種やＯＳ(Operating System)に依存することがあるため、所望の端末装置を必要に応じて単独で更新することができない。更に説明すると、１台の端末装置を更新する場合であっても、システム全体の整合を取りながら必要部分のハードウエアやソフトウェアを更新しなければならず、端末装置の更新以外に余計なコストが発生してしまう。
【０００８】
本発明は、このような課題に鑑みてなされたものであり、新規項目追加や項目削除等を行う帳票の改造を容易に行うことができ、複数サーバの各データベースのデータを１台の端末装置で一元管理することができ、また、端末装置を単独で更新可能としてこれ以外の余計なコストの発生を無くすことができる帳票作成管理システム及び帳票作成管理装置を提供することを目的としている。
【課題を解決するための手段】
【０００９】
上記目的を達成するために、本発明の請求項１による帳票作成管理システムは、データが記憶されるデータベースを有する複数のサーバと、これらサーバに通信用のネットワークを介して接続された通信情報処理用の複数の端末装置とを有し、これら端末装置にてサーバのデータベースからデータを取得して帳票を作成する帳票作成管理システムにおいて、前記端末装置に、情報の受信閲覧処理を行うＷＥＢブラウザと、このＷＥＢブラウザの処理でネットワークを介して受信されるデータの表示、編集及び管理処理を行う表計算ソフトウェアとを備え、前記サーバと前記端末装置間のネットワークに、前記端末装置のＷＥＢブラウザの命令に応じてデータを当該端末装置へ送信するＷＥＢサーバを接続し、このＷＥＢサーバに、前記複数のサーバのデータベース毎に１対１で割当てられ、この割当てられたデータベースにのみ接続する処理を行う複数のＤＢ接続エンジンと、前記端末装置からの指示に応じたＤＢ接続エンジンを選択し、この選択されたＤＢ接続エンジンを介して該当データベースからデータを取得し、この取得データを組み込んで帳票ファイルを作成する帳票作成処理部とを備え、前記端末装置にて、前記ＷＥＢブラウザで前記帳票ファイルを受信し、この帳票ファイルを前記表計算ソフトウェアで編集及び管理することを特徴とする。
【００１０】
この構成によれば、１台の端末装置において任意の接続先のデータベースを指示（接続先指示）すれば、この指示されたサーバ内のデータベースに接続してデータを取得し、この取得データを帳票ファイルに組込み、この帳票ファイルを端末装置で受信することができる。従って、１台の端末装置にて各サーバのデータベースのデータを受信して一元管理することができる。これによって、各端末装置の設置場所が分散されている場合でも、どの端末装置においても各サーバのデータベースに記憶された帳票を容易に収集することができ、各サーバの帳票を比較検討するといったことも容易に行うことができる。
【００１１】
また、このように１台の端末装置にて各サーバからデータを収集して帳票を作成する構成を、ネットワークに１台のＷＥＢサーバを接続すると共に、各端末装置に標準的なＷＥＢブラウザと表計算ソフトウェアを実装するのみで実現可能なので、低コストで実現することができる。更には、従来のように端末装置毎にＤＢ接続エンジンを実装しなくてもよいので、所望の端末装置を必要に応じて単独で更新することができる。この場合、従来であれば１台の端末装置の更新時にシステム全体の他の必要部分も更新しなければならず端末装置の更新以外に余計なコストが発生していたが、この余計なコストの発生が無くなるので、その分、低コストで実現することができる。
【００１２】
また、本発明の請求項２による帳票作成管理システムは、請求項１において、前記ＷＥＢサーバは、前記データベースからのデータ取得条件及び取得データの貼付先を定義するデータ取得定義シートと、その定義に応じて取得されたデータを貼り付け、このデータに対する所定の計算を行う計算シートと、この計算シートの計算結果を含むデータを貼り付ける帳票のレイアウトを定義するフォーマットシートとを、各々複数種類保存する定義情報共有フォルダを更に備え、前記帳票作成処理部は、前記端末装置での指示を含む帳票作成指示情報に応じて、前記定義情報共有フォルダに保存された該当の前記データ取得定義シート、前記計算シート、前記フォーマットシートを読込み、この読込んだデータ取得定義シートからデータベースのデータの取得指示及び取得データの貼付先を抽出してリレーショナルデータベース操作言語文に組込み、前記指示に応じたＤＢ接続エンジンを介して前記リレーショナルデータベース操作言語文を元に該当データベースから目的のデータを取得し、この取得データを該当計算シートに貼り付けて計算し、この計算結果を含む計算シートのデータを前記フォーマットシートに貼り付けて前記帳票ファイルを作成することを特徴とする。
【００１３】
この構成によれば、データ取得定義シートにおいて、様々なデータ取得条件を定義できるので、従来のように目的の情報に関連するデータをデータベースから大量に取得して一時保存や整理、計算などを行なう必要が無くなるので、開発効率を向上させることができ、核心に近い情報を提供することができる。また、大量のデータを取得する必要がないので、ファイル容量や通信負荷を抑制することができ、帳票への表示データの制約も緩和することができる。
【００１４】
また、本発明の請求項３による帳票作成管理システムは、請求項２において、前記ＷＥＢサーバに、前記帳票ファイルを保存する作成済み帳票共有フォルダを更に備え、前記端末装置は、前記表計算ソフトウェアの処理により前記作成済み帳票共有フォルダから所望の帳票ファイルを受信し、この中の前記データ取得定義シート又は前記計算シートを表示して変更し、この変更後のデータ取得定義シート又は計算シートを前記定義情報共有フォルダに保存することを特徴とする。
【００１５】
この構成によれば、ユーザが帳票を改造又は新規作成する場合、端末装置にてＷＥＢサーバから帳票ファイルをダウンロードし、この帳票ファイルの中のデータ取得定義シート及び計算シートを表示して変更すればよい。つまり、ユーザが慣れ親しんでいる表計算ソフトウェアを使用し、シート定義作業だけで容易に帳票の改造又は新規作成を実現することができる。従って、従来のようにプログラムの改造の必要性から専門知識を有するプログラマーの対応が必要となるといったことが無くなり、僅かの慣れで誰でも容易に改造又は新規作成を行うことができる。
【００１６】
また、本発明の請求項４による帳票作成管理装置は、データが記憶されるデータベースを有する複数のサーバと、これらサーバに通信用のネットワークを介して接続され、情報の受信閲覧処理を行うＷＥＢブラウザ及び当該ＷＥＢブラウザの処理で受信されるデータの編集及び管理処理を行う表計算ソフトウェアとを有する複数の端末装置と、この端末装置と複数のサーバ間のネットワークに接続され、ＷＥＢブラウザの命令に応じてデータを該当端末装置へ送信するＷＥＢサーバ機能を有する帳票作成管理装置において、前記複数のサーバのデータベース毎に１対１で割当てられ、この割当てられたデータベースにのみ接続する処理を行う複数のＤＢ接続エンジンと、前記端末装置からの指示に応じたＤＢ接続エンジンを選択し、この選択されたＤＢ接続エンジンを介して該当データベースからデータを取得し、この取得データを組み込んで帳票ファイルを作成する帳票作成処理部と、その作成された帳票ファイルを前記端末装置のＷＥＢブラウザで受信可能に保持する作成済み帳票共有フォルダとを備えたことを特徴とする。
この構成によれば、上記請求項１と同様の作用効果を得ることができる。
【００１７】
また、本発明の請求項５による帳票作成管理装置は、請求項４において、前記データベースからのデータ取得条件及び取得データの貼付先を定義するデータ取得定義シートと、その定義に応じて取得されたデータを貼り付け、このデータに対する所定の計算を行う計算シートと、この計算シートの計算結果を含むデータを貼り付ける帳票のレイアウトを定義するフォーマットシートとを、各々複数種類保存する定義情報共有フォルダを更に備え、前記帳票作成処理部は、前記端末装置での指示を含む帳票作成指示情報に応じて、前記定義情報共有フォルダに保存された該当の前記データ取得定義シート、前記計算シート、前記フォーマットシートを読込み、この読込んだデータ取得定義シートからデータベースのデータの取得指示及び取得データの貼付先を抽出してリレーショナルデータベース操作言語文に組込み、前記指示に応じたＤＢ接続エンジンを介して前記リレーショナルデータベース操作言語文を元に該当データベースから目的のデータを取得し、この取得データを該当計算シートに貼り付けて計算し、この計算結果を含む計算シートのデータを前記フォーマットシートに貼り付けて前記帳票ファイルを作成することを特徴とする。
この構成によれば、上記請求項２と同様の作用効果を得ることができる。
【００１８】
また、本発明の請求項６による帳票作成管理装置は、請求項５において、前記定義情報共有フォルダは、前記端末装置で作成された前記データ取得定義シート又は前記計算シートを前記ＷＥＢブラウザの処理に応じて保存することを特徴とする。
この構成によれば、定義情報共有フォルダに、現在保持中と異なる種類のデータ取得定義シートと計算シートを任意に保存可能となるので、ユーザが編集及び管理可能な帳票の種類を容易に増加させることができ、より使い勝手を向上させることが可能となる。
【発明の効果】
【００１９】
以上説明したように本発明によれば、新規項目追加や項目削除等を行う帳票の改造を容易に行うことができ、複数サーバの各データベースのデータを１台の端末装置で一元管理することができ、また、端末装置を単独で更新可能としてこれ以外の余計なコストの発生を無くすことができるという効果がある。
【発明を実施するための最良の形態】
【００２０】
以下、本発明の実施の形態を、図面を参照して説明する。但し、本明細書中の全図において相互に対応する部分には同一符号を付し、重複部分においては後述での説明を適時省略する。
図１は、本発明の実施の形態に係る帳票作成管理システムの構成を示すブロック図である。
図１に示す帳票作成管理システム３０が、従来の帳票作成管理システム１０と異なる点は、ネットワーク１３に本発明の特徴要素である帳票作成管理装置としてＷＥＢ(World Wide Web)サーバ３２を接続し、各事務所１７−１，１７−ｎにおいてネットワーク１３に接続されて設置された各パソコン端末装置３４−１，３４−２，３４−３，…，３４−ｎに、図２に示すＷＥＢブラウザ４１と表計算ソフトウェア４２を備えたことにある。但し、図２には各パソコン端末装置３４−１〜３４−ｎのうちパソコン端末装置３４−１を代表して示した。
【００２１】
ＷＥＢブラウザ４１は、ネットワーク１３を介してＷＥＢサーバ３２に接続してデータ送受信を行い、更にそのためのユーザに対する操作指示を行う処理を実行するソフトウェアである。
表計算ソフトウェア４２は、ＷＥＢサーバ３２からダウンロードされた帳票ファイル４３を起動、編集、印字するための処理を行うソフトウェアである。
帳票ファイル４３は、図３に示すように、ＤＢからのデータ取得条件及び取得データの貼付先を定義するデータ取得定義シート４４と、その定義に応じて取得されたデータを貼り付け、このデータに対する所定の計算を行う計算シート４５と、この計算シート４５の計算結果を含むデータを貼り付ける表やグラフなど帳票のレイアウトを定義するフォーマットシート４６とから構成されている。
【００２２】
ＷＥＢサーバ３２は、図２に示すように、ＷＥＢブラウザ４１とネットワーク１３を介してデータの送受信を行うコンピュータであって、帳票管理処理部５１と、帳票指示処理部５２と、帳票作成処理部５３と、帳票出力処理部５４と、複数のＤＢ接続エンジン５５−１〜５５−ｎと、定義情報共有フォルダ５６と、作成済み帳票共有フォルダ５７とを備えて構成されている。
各ＤＢ接続エンジン５５−１〜５５−ｎは、ＤＢ接続エンジン５５−１がＤＢ１１−１に割当てられ、〜ＤＢ接続エンジン５５−ｎがＤＢ１１−ｎに割当てられており、後述で詳細に説明するように、パソコン端末装置（例えば３４−１）の操作入力指示に応じたＷＥＢサーバ３２でのデータ取得指示に応じて、そのパソコン端末装置３４−１をＷＥＢサーバ３２を介して、割当てられたＤＢ１１−１に接続する。
【００２３】
定義情報共有フォルダ５６には、種類分け定義ファイル６１と、帳票登録定義ファイル６２と、帳票パラメータ定義ファイル群６３と、帳票ファイル原型群６４とが保存される。作成済み帳票共有フォルダ５７には、帳票ファイル４３が保存される。
帳票管理処理部５１は、パソコン端末装置３４−１からＷＥＢブラウザ４１を介してＷＥＢサーバ３２に接続された際に、定義情報共有フォルダ５６に保存された種類分け定義ファイル６１（図４参照）及び帳票登録定義ファイル６２（図５参照）を読込んで参照し、データ収集場所や分類の名称ごとに帳票ファイル名を画面表示するための帳票一覧表示情報Ｄ１を該当のパソコン端末装置（例えば３４−１）へ送信する。これによって、パソコン端末装置３４−１では、図６に一例を示すように、帳票作成メニュー画面７１に、帳票一覧７２が表示されるようになっている。
【００２４】
また、帳票管理処理部５１は、パソコン端末装置３４−１において、図示せぬマウスなどの選択手段によって、画面表示された帳票一覧７２からＡ工場等の帳票が選択された際に、その選択された帳票情報Ｄ２を帳票指示処理部５２へ通知する。
帳票指示処理部５２は、帳票管理処理部５１から通知された帳票情報Ｄ２に応じて、定義情報共有フォルダ５６に保存された帳票パラメータ定義ファイル群６３の中から該当するパラメータ情報Ｄ３（図７参照）を読込み、これに応じたパラメータ入力画面表示情報Ｄ４を該当のパソコン端末装置３４−１へ送信する。これによって、パソコン端末装置３４−１では、図８に一例を示すように、パラメータ入力画面７３が表示されるようになっている。また、パラメータ入力画面７３には、パラメータ入力部７４と帳票作成ボタン７５が表示される。
【００２５】
また、帳票指示処理部５２は、パソコン端末装置３４−１のパラメータ入力画面７３において、パラメータ入力部７４に所定のパラメータ（この例では年月日）がキー入力されたのち帳票作成ボタン７５がクリックされると、その帳票作成指示情報Ｄ５を帳票作成処理部５３へ通知する。
帳票作成処理部５３は、帳票指示処理部５２から通知された帳票作成指示情報Ｄ５に応じて、定義情報共有フォルダ５６に保存された帳票ファイル原型群６４の中から該当するデータ取得定義シート４４（図９参照）、計算シート４５（図１０参照）、及びフォーマットシート４６（図１１参照）を読込む。次に、データ取得定義シート４４の情報を解析してデータ取得指示（この例では、接続先のＤＢ名４４ａ、テーブル名４４ｂ、データ項目名４４ｃ、取得条件４４ｄ）及び取得データの貼付先４４ｅの各情報を抽出してリレーショナルデータベース操作言語文に組み込むと共に、接続先のＤＢ名４４ａに対応するＤＢ接続エンジン（例えば５５−１）を選択経由して、先のリレーショナルデータベース操作言語文を元に該当サーバ１２−１のＤＢ１１−１から目的のデータを取得して読込む。そして、その目的のデータを計算シート４５に貼り付けて計算し、この計算結果並びに貼り付けられたデータをフォーマットシート４６に貼り付けて帳票ファイル４３を作成し、この帳票ファイル４３を作成済み帳票共有フォルダ５７に保存した後、作成完了を帳票出力処理部５４へ通知する。
【００２６】
また、上記の各シート４４，４５，４６について更に説明すると、図９に示すデータ取得定義シート４４では、データ取得対象となるテーブル毎に、ヘッダー部４４ｆと定義部４４ｇを設定する。この内、取得条件４４ｄの組合は自由であり、検索条件４４ｈや取得条件４４ｄの内の最後尾欄のオプションは、幾らでも追加可能となっている。
更に、データ取得定義シート４４に定義されたデータ内容は、次の「」内に示すようにリレーショナルデータベース操作言語文に組み込まれる。「ＳＥＬＥＣＴ△データ項目名△ＦＲＯＭ△テーブル名△ＷＨＥＲＥ△検索項目△比較演算子△検索値△オプション」また、このリレーショナルデータベース操作言語文に応じてＤＢから取得されたデータは、貼付先４４ｅに定義されたシート名とセルの行名及び列名に書き込まれるようになっている。
【００２７】
図１０に示す計算シート４５には、データ取得定義シート４４にて定義されて貼り付けられたデータに対する計算式を各セルに定義する。これによって、データ取得定義シート４４ｂに応じてＤＢから取得されたデータが読込まれて、これらデータが計算シート４５に貼り付けられて計算されるようになっている。
図１１に示すフォーマットシート４６には、計算シート４５上のデータや計算式の存在するセルの場所を定義する。これによって、計算シート４５の計算結果並びに貼り付けられたデータがフォーマットシート４６に貼り付けられて帳票ファイル４３が作成されるようになっている。
【００２８】
帳票出力処理部５４は、帳票作成処理部５３から作成完了通知を受けると、その作成完了した帳票ファイル４３を表示するか、保存するかを選択する帳票表示保存選択画面情報Ｄ６を該当パソコン端末装置３４−１へ送信する。これによって、パソコン端末装置３４−１では、図１２に一例を示すように、帳票（本例では、Ａ工場操業日報）のダウンロード通知画面８１が表示されるようになっている。この画面８１には、ダウンロードボタン８２が表示される。
【００２９】
更に、そのダウンロードボタン８２がクリックされると、図１３に一例を示すように、作成した帳票ファイル４３を表示するか、保存するかを選択するための帳票（本例では、Ａ工場操業日報）のダウンロード選択画面７６を表示する。この画面７６には、開ボタン７７、保存ボタン７８及びキャンセルボタン７９が表示される。
開ボタン７７がクリックされると、表計算ソフトウェア４２で帳票ファイル４３を起動して帳票を画面に表示する。保存ボタン７８がクリックされると、指定した保存場所に帳票ファイル４３をダウンロードする。キャンセルボタン７９がクリックされると、アクションは何も行なわない。また、帳票ファイル４３のフォーマットシート４６以外は非表示とされており、ユーザには印刷用のデータ以外は見えないようになっている。
【００３０】
また、本帳票作成管理システム３０においては、ユーザが帳票を改造する場合、パソコン端末装置３４−１にて表計算ソフトウェア４２で帳票ファイル４３をダウンロードし、この帳票ファイル４３の中のデータ取得定義シート４４及び計算シート４５を表示して変更可能となっている。つまり、帳票ファイル改造処理は、表計算ソフトウェア４２によって実行される。
【００３１】
即ち、ユーザがパソコン端末装置３４−１にダウンロードされて表示された帳票ファイル４３の各シート４４，４５を目的に合わせて改造し、これを帳票ファイルの原型としてＷＥＢサーバ３２に保存する。この保存は、改造した帳票ファイル４３の原型をＷＥＢサーバ３２の定義情報共有フォルダ５６に上書きして格納できるようになっている。
その後、図６に示した帳票作成メニュー画面７１から、定義情報共有フォルダ５６に格納された改造後の帳票ファイル４３を選択してダウンロードすることによって、改造後の内容で帳票を作成できるようになっている。
【００３２】
また、ユーザが帳票を新規に作成する場合は、パソコン端末装置３４−１にて表計算ソフトウェア４２で、新規に作成したい帳票に最も近い帳票ファイル４３をダウンロードし、この帳票ファイル４３の中のデータ取得定義シート４４と計算シート４５とを変更可能に表示する。そして、帳票ファイル４３の各シート４４，４５を目的に合わせて改造して、新しい帳票ファイル４３の原型として別名でＷＥＢサーバ３２に保存する。この保存は、新規の帳票ファイル４３の原型をＷＥＢサーバ３２の定義情報共有フォルダ５６に上書きして行えるようになっている。
【００３３】
更に、この新規帳票ファイル作成時には、帳票作成メニュー画面７１に新規帳票の情報を表示する必要がある。また、新規帳票ファイル作成処理は、表計算ソフトウェア４２によって実行される。
例えば各工場の生産緒元を比較するための生産緒元．ｘｌｓという新しい帳票ファイルを作成した場合、図１４の修正後の帳票作成メニュー画面７１−１に矢印７１ａで示すように、工場比較の欄に「生産緒元」の選択項目を追加する。
【００３４】
この場合、図１５に矢印６１ａで示すように、［メニュー項目名］に「全工場日報比較」、［帳票登録］に「生産緒元」の情報を追加登録して、これを修正後の種類分け定義ファイル６１−１とする。図１６に矢印６２ａで示すように、［帳票登録］に「生産緒元」、［画面表示］に「生産緒元」、［パラメータ入力定義］に「生産緒元．ｔｘｔ」、［帳票ファイル原型］に「生産緒元．ｘｌｓ」の情報を追加登録して、これを修正後の帳票登録定義ファイル６２−１とする。
【００３５】
更に、図７に示したパラメータ情報Ｄ３を、既に存在する「Ａ工場日パラメータ．ｔｘｔ」と別名の「生産緒元パラメータ．ｔｘｔ」で保存する。これによって、図１４に示す修正後の帳票作成メニュー画面７１−１が表示され、新規の帳票が選択可能となるようになっている。
次に、このような構成の帳票作成管理システム３０による帳票ファイル４３を作成及び管理する際の動作を説明する。但し、各サーバ１２−１〜１２−ｎのＤＢ１１−１〜１１−ｎには、ＤＢ１１−１にＡ工場、ＤＢ１１−２にＢ工場、ＤＢ１１−３にＣ工場、〜ＤＢ１１−ｎにＮ工場の各情報が格納されているとする。
【００３６】
図２に破線矢印で示すステップＳ１において、パソコン端末装置３４−１でユーザによる帳票作成管理のための初期操作が行われ、これに応じて当該パソコン端末装置３４−１がＷＥＢブラウザ４１を介してＷＥＢサーバ３２に接続されたとする。この場合、帳票管理処理部５１は、ステップＳ２において、定義情報共有フォルダ５６に保存された種類分け定義ファイル６１及び帳票登録定義ファイル６２を読込んで参照し、これに応じてステップＳ３において、帳票一覧表示情報Ｄ１を該当のパソコン端末装置３４−１へ送信する。
【００３７】
ここで、種類分け定義ファイル６１には、図４に示すように、帳票の種類である「メニュー項目名」毎に「帳票登録」が定義されており、「工場別操業日報」として「Ａ工場−日、Ｂ工場−日、Ｃ工場−日」が登録されており、また「工場別操業月報」として「Ａ工場−月、Ｂ工場−月、Ｃ工場−月」が登録されている。
帳票登録定義ファイル６２には、図５に示すように、上記の種類分け定義ファイル６１の「帳票登録」で定義された項目毎に、「画面表示」、「パラメータ入力定義」、「帳票ファイル原型」が定義されている。
【００３８】
従って、帳票一覧表示情報Ｄ１は、それら種類分け定義ファイル６１及び帳票登録定義ファイル６２の各情報を含む内容となっており、この情報Ｄ１を受信したパソコン端末装置３４−１では、ステップＳ４において、帳票一覧が画面表示される。
この表示は、図４に示す種類分け定義ファイル６１において、「工場別操業日報」及び「工場別操業月報」の双方とも「Ａ工場、Ｂ工場、Ｃ工場」の順に配列されているので、図６に示すように、帳票作成メニュー画面７１においても、「工場別操業日報」及び「工場別操業月報」の双方とも各枠の下に「Ａ工場、Ｂ工場、Ｃ工場」の順で表示される。
【００３９】
この帳票作成メニュー画面７１において、ステップＳ５で、ユーザによって「工場別操業日報」枠の「Ａ工場」が選択（クリック）されたとすると、帳票管理処理部５１は、ステップＳ６において、その選択された帳票情報Ｄ２として、図５に示す帳票登録定義ファイル６２の「Ａ工場」の行の「Ａ工場日パラメータ．ｔｘｔ」、「Ａ工場操業日報．ｘｌｓ」の情報を帳票指示処理部５２へ通知する。
【００４０】
この通知を受けた帳票指示処理部５２は、ステップＳ７において、受け取った帳票情報Ｄ２に応じて、定義情報共有フォルダ５６に保存された帳票パラメータ定義ファイル群６３の中から該当する図７に示すＡ工場日報のパラメータ情報Ｄ３の「Ａ工場日パラメータ．ｔｘｔ」を読込む。そして、ステップＳ８において、そのパラメータ情報Ｄ３に応じたパラメータ入力画面表示情報Ｄ４を該当のパソコン端末装置３４−１へ送信する。
【００４１】
その情報Ｄ４を受信したパソコン端末装置３４−１では、ステップＳ９において、図８に示すパラメータ入力画面７３が表示される。ここで、ステップＳ１０において、ユーザによって、そのパラメータ入力画面７３のパラメータ入力部７４の年に「２００６」、月に「８」、日に「２４」がキー入力された後、帳票作成ボタン７５がクリックされると、帳票指示処理部５２は、ステップＳ１１において、その操作入力された「Ａ工場操業日報．ｘｌｓ」と「２００６年８月２４日」の帳票作成指示情報Ｄ５を帳票作成処理部５３へ通知する。
【００４２】
次に、ステップＳ１２において、帳票作成処理部５３は、その通知された帳票作成指示情報Ｄ５に応じて、定義情報共有フォルダ５６に保存された帳票ファイル原型群６４の中から該当するデータ取得定義シート４４、計算シート４５及びフォーマットシート４６を読込む。
そして、帳票作成処理部５３は、データ取得定義シート４４の情報を解析してデータ取得指示情報としての接続先のＤＢ名４４ａ、テーブル名４４ｂ、データ項目名４４ｃ、取得条件４４ｄ）と、取得データの貼付先４４ｅとの各情報を抽出してリレーショナルデータベース操作言語文に組み込み、ステップＳ１３において、ＤＢ接続エンジン群５５−１〜５５−ｎへデータ取得指示を行う。
【００４３】
この場合、上記の接続先のＤＢ名４４ａであるＡ工場情報を有するＤＢ１１−１に対応するＤＢ接続エンジン５５−１が選択されるので、これを経由して、ステップＳ１４において、先のリレーショナルデータベース操作言語文を元に該当サーバ１２−１のＤＢ１１−１から目的のデータを取得して読込む。
そして、帳票作成処理部５３は、その目的のデータを計算シート４５に貼り付けて計算し、この計算結果並びに貼り付けられたデータをフォーマットシート４６に貼り付けて帳票ファイル４３を作成する。この際、帳票ファイル４３は、上記で操作入力された日付「２００６年０８月２４日」を入れた帳票ファイル名「Ａ工場操業日報＿２００６０８２４．ｘｌｓ」に変更し、この帳票ファイル４３を、ステップＳ１５において、作成済み帳票共有フォルダ５７に保存し、更に、ステップＳ１６において、その帳票ファイル名「Ａ工場操業日報＿２００６０８２４．ｘｌｓ」を帳票出力処理部５４へ通知して、作成完了を帳票出力処理部５４へ通知する。
【００４４】
この通知を受けた帳票出力処理部５４は、ステップＳ１７において、その作成完了した帳票ファイル４３を表示するか、保存するかを選択するために、作成完了した帳票ファイル名「Ａ工場操業日報＿２００６０８２４．ｘｌｓ」を含む帳票表示保存選択画面情報Ｄ６を該当パソコン端末装置３４−１へ送信する。
これによって、パソコン端末装置３４−１では、ステップＳ１８において、図１２に示すＡ工場操業日報のダウンロード通知画面８１が表示される。ここで、ユーザが、その画面８１のダウンロードボタン８２をクリックすると、図１３に示すＡ工場操業日報のダウンロード選択画面７６が表示される。
【００４５】
この画面７６で、ステップＳ１９において、ユーザが開ボタン７７をクリックすると、表計算ソフトウェア４２で帳票ファイル４３が起動されて帳票が画面に表示される。
一方、ステップＳ１９において、ユーザが保存ボタン７８をクリックすると、ステップＳ２０において、表計算ソフトウェア４２によって、指定保存場所に帳票ファイル４３がダウンロードされる。
【００４６】
この他、ユーザが帳票を改造する場合、パソコン端末装置３４−１にて、その改造のための入力操作を行うと、表計算ソフトウェア４２によって、その入力に応じた帳票ファイル４３がダウンロードされ、この帳票ファイル４３の中のデータ取得定義シート４４及び計算シート４５が変更可能なように表示される。
ここで、ユーザは、それら表示されたシート４４，４５を目的に合わせて改造し、これを帳票ファイルの原型としてＷＥＢサーバ３２に保存する。この保存は、改造した帳票ファイル４３の原型が、ＷＥＢサーバ３２の定義情報共有フォルダ５６に上書きして行われる。その後、ユーザは、帳票作成メニュー画面７１から、定義情報共有フォルダ５６に格納された改造後の帳票ファイル４３を選択してダウンロードすることによって、改造後の内容で帳票を作成することができる。
【００４７】
また、ユーザが帳票を新規に作成する場合、パソコン端末装置３４−１にて、その改造のための入力操作を行うと、表計算ソフトウェア４２で、新規に作成したい帳票に最も近い帳票ファイル４３がダウンロードされ、この帳票ファイル４３の中のデータ取得定義シート４４と計算シート４５とが変更可能に表示される。
ここで、ユーザは、それら表示されたシート４４，４５を目的に合わせて改造して、新しい帳票ファイル４３の原型として別名でＷＥＢサーバ３２に保存する。この保存は、新規の帳票ファイル４３の原型をＷＥＢサーバ３２の定義情報共有フォルダ５６に上書きして行われる。
【００４８】
更に、その新規帳票ファイル作成時には、帳票作成メニュー画面７１に新規帳票の情報が表示される。
この場合、ユーザが各工場の生産緒元を比較するための生産緒元．ｘｌｓという新しい帳票ファイルを作成したとすると、図１４の修正後の帳票作成メニュー画面７１−１に矢印７１ａで示すように、工場比較の欄に「生産緒元」の選択項目が追加される。
【００４９】
更に、図１５の種類分け定義ファイル６１−１に矢印６１ａで示すように、［メニュー項目名］に「全工場日報比較」、［帳票登録］に「生産緒元」の情報が追加登録され、図１６の帳票登録定義ファイル６２−２に矢印６２ａで示すように、［帳票登録］に「生産緒元」、［画面表示］に「生産緒元」、［パラメータ入力定義］に「生産緒元．ｔｘｔ」、［帳票ファイル原型］に「生産緒元．ｘｌｓ」の情報が追加登録される。
更に、図７に示したパラメータ情報Ｄ３が、既に存在する「Ａ工場日パラメータ．ｔｘｔ」と別名の「生産緒元パラメータ．ｔｘｔ」で保存され、これによって、図１４に示すように帳票作成メニュー画面７１−１が表示され、新規の「生産緒元」の帳票が選択可能となる。
【００５０】
以上説明したように、本実施の形態の帳票作成管理システム３０によれば、各パソコン端末装置３４−１〜３４−ｎに、情報の受信閲覧処理を行うＷＥＢブラウザ４１と、このＷＥＢブラウザ４１の処理でネットワーク１３を介して受信されるデータの編集及び管理処理を行う表計算ソフトウェア４２とを備える。
また、各サーバ１２−１〜１２−ｎとパソコン端末装置３４−１〜３４−ｎ間のネットワーク１３に、ＷＥＢブラウザ４１の命令に応じてデータを当該パソコン端末装置３４−１へ送信するＷＥＢサーバ３２を接続する。
【００５１】
このＷＥＢサーバ３２に、複数のサーバ１２−１〜１２−ｎのＤＢ１１−１〜１１−ｎ毎に１対１で割当てられ、この割当てられたＤＢ１１−１〜１１−ｎにのみ接続する処理を行う複数のＤＢ接続エンジン５５−１〜５５−Ｎと、パソコン端末装置３４−１からの接続先指示に応じたＤＢ接続エンジン５５−１を選択し、この選択されたＤＢ接続エンジン５５−１を介して該当ＤＢ１１−１からデータを取得し、この取得データを組み込んで帳票ファイルを作成する帳票作成処理部５３とを備える。
【００５２】
そして、パソコン端末装置３４−１にて、ＷＥＢブラウザ４１で帳票ファイルを受信し、この帳票ファイルを表計算ソフトウェア４２で編集及び管理するようにした。
これによって、１台のパソコン端末装置３４−１において任意の接続先のＤＢ１１−１を指示（接続先指示）すれば、この指示されたサーバ１２−１内のＤＢ１１−１に接続してデータを取得し、この取得データを帳票ファイルに組込み、この帳票ファイルをパソコン端末装置３４−１で受信することができる。従って、１台のパソコン端末装置３４−１にて各サーバ１２−１〜１２−ｎのＤＢ１１−１〜１１−ｎのデータを受信して一元管理することができる。これによって、各パソコン端末装置３４−１〜３４−ｎの設置場所が分散されている場合でも、どのパソコン端末装置３４−１〜３４−ｎにおいても各サーバ１２−１〜１２−ｎのＤＢ１１−１〜１１−ｎに記憶された帳票を容易に収集することができ、各サーバ１２−１〜１２−ｎの帳票を比較検討するといったことも容易に行うことができる。
【００５３】
また、このように１台のパソコン端末装置３４−１にて各サーバ１２−１〜１２−ｎからデータを収集して帳票を作成する構成を、ネットワーク１３に１台のＷＥＢサーバ３２を接続すると共に、各パソコン端末装置３４−１に標準的なＷＥＢブラウザ４１と表計算ソフトウェア４２を実装するのみで実現可能なので、低コストで実現することができる。更には、従来のようにパソコン端末装置３４−１〜３４−ｎ毎にＤＢ接続エンジン５５−１〜５５−Ｎを実装しなくてもよいので、所望のパソコン端末装置３４−１を必要に応じて単独で更新することができる。この場合、従来であれば１台のパソコン端末装置３４−１の更新時にシステム全体の他の必要部分も更新しなければならずパソコン端末装置３４−１の更新以外に余計なコストが発生していたが、この余計なコストの発生が無くなるので、その分、低コストで実現することができる。
【００５４】
また、ＷＥＢサーバ３２に、ＤＢ１１−１〜１１−ｎからのデータ取得条件及び取得データの貼付先を定義するデータ取得定義シート４４と、その定義に応じて取得されたデータを貼り付け、このデータに対する所定の計算を行う計算シート４５と、この計算シート４５の計算結果を含むデータを貼り付ける帳票のレイアウトを定義するフォーマットシート４６とを、各々複数種類保存する定義情報共有フォルダ５６を更に備える。
【００５５】
この場合、帳票作成処理部５３が、パソコン端末装置３４−１での接続先指示を含む帳票作成指示情報に応じて、定義情報共有フォルダ５６に保存された該当のデータ取得定義シート４４、計算シート４５、フォーマットシート４６を読込み、この読込んだデータ取得定義シート４４からＤＢ１１−１〜１１−ｎのデータの取得指示及び取得データの貼付先を抽出してリレーショナルＤＢ１１−１〜１１−ｎ操作言語文に組込み、接続先指示に応じたＤＢ接続エンジン５５−１〜５５−Ｎを介してリレーショナルＤＢ１１−１〜１１−ｎ操作言語文を元に該当ＤＢ１１−１〜１１−ｎから目的のデータを取得し、この取得データを該当計算シート４５に貼り付けて計算し、この計算結果を含む計算シート４５のデータをフォーマットシート４６に貼り付けて帳票ファイルを作成するようにした。
【００５６】
これによって、データ取得定義シート４４において、様々なデータ取得条件を定義できるので、従来のように目的の情報に関連するデータをＤＢ１１−１〜１１−ｎから大量に取得して一時保存や整理、計算などを行なう必要が無くなるので、開発効率を向上させることができ、核心に近い情報を提供することができる。また、大量のデータを取得する必要がないので、ファイル容量や通信負荷を抑制することができ、帳票への表示データの制約も緩和することができる。
【００５７】
また、ＷＥＢサーバ３２に、帳票ファイルを保存する作成済み帳票共有フォルダ５７を更に備え、この場合に、パソコン端末装置３４−１が、表計算ソフトウェア４２の処理により作成済み帳票共有フォルダ５７から所望の帳票ファイルを受信し、この中のデータ取得定義シート４４又は計算シート４５を表示して変更し、この変更後のデータ取得定義シート４４又は計算シート４５を定義情報共有フォルダ５６に保存するようにした。
【００５８】
これによって、ユーザが帳票を改造又は新規作成する場合、パソコン端末装置３４−１にてＷＥＢサーバ３２から帳票ファイルをダウンロードし、この帳票ファイルの中のデータ取得定義シート４４及び計算シート４５を表示して変更すればよい。つまり、ユーザが慣れ親しんでいる表計算ソフトウェア４２を使用し、シート定義作業だけで容易に帳票の改造又は新規作成を実現することができる。従って、従来のようにプログラムの改造の必要性から専門知識を有するプログラマーの対応が必要となるといったことが無くなり、僅かの慣れで誰でも容易に改造又は新規作成を行うことができる。
更に、定義情報共有フォルダ５６に、現在保持中と異なる種類のデータ取得定義シート４４と計算シート４５を任意に保存可能となるので、ユーザが編集及び管理可能な帳票の種類を容易に増加させることができ、より使い勝手を向上させることが可能となる。
【図面の簡単な説明】
【００５９】
【図１】本発明の実施の形態に係る帳票作成管理システムの構成を示すブロック図である。
【図２】上記帳票作成管理システムにおける特徴要素のブロック構成と、制御及びデータの流れを示す図である。
【図３】帳票ファイルの構成を示す図である。
【図４】種類分け定義ファイルの例を示す図である。
【図５】帳票登録定義ファイルの例を示す図である。
【図６】帳票作成メニュー画面の例を示す図である。
【図７】Ａ工場日報のパラメータ情報の例を示す図である。
【図８】Ａ工場操業日報のパラメータ入力画面の例を示す図である。
【図９】データ取得定義シートの例を示す図である。
【図１０】計算シートの例を示す図である。
【図１１】フォーマットシートの例を示す図である。
【図１２】Ａ工場操業日報のダウンロード選択画面の例を示す図である。
【図１３】Ａ工場操業日報のダウンロード通知画面の例を示す図である。
【図１４】修正後の帳票作成メニュー画面の例を示す図である。
【図１５】修正後の種類分け定義ファイルの例を示す図である。
【図１６】修正後の帳票登録定義ファイルの例を示す図である。
【図１７】従来の帳票作成管理システムの構成を示すブロック図である。
【符号の説明】
【００６０】
１１−１〜１１−ｎ  ＤＢ（データベース）
１２−１〜１２−ｎ  サーバ
１３  ネットワーク
１８−１，１８−ｎ  プリンタ
３４−１〜３４−ｎ  パソコン端末装置
４１  ＷＥＢブラウザ
４２  表計算ソフトウェア
４３  帳票ファイル
４４  データ取得定義シート
４５  計算シート
４６  フォーマットシート
５１  帳票管理処理部
５２  帳票指示処理部
５３  帳票作成処理部
５４  帳票出力処理部
５５−１〜５５−ｎ  ＤＢ接続エンジン
５６  定義情報共有フォルダ
５７  作成済み帳票共有フォルダ
６１  種類分け定義ファイル
６１−１  修正後の種類分け定義ファイル
６２  帳票登録定義ファイル
６２−１  修正後の帳票登録定義ファイル
６３  帳票パラメータ定義ファイル群
６４  帳票ファイル原型群
Ｄ１  帳票一覧表示情報
７１  帳票作成メニュー画面
７１−１  修正後の帳票作成メニュー画面
７２  帳票一覧
Ｄ２  帳票情報
Ｄ３  パラメータ情報
Ｄ４  パラメータ入力画面表示情報
７３  パラメータ入力画面
７４  パラメータ入力部
７５  帳票作成ボタン
Ｄ５  帳票作成指示情報
Ｄ６  帳票表示保存選択画面情報
７６  ダウンロード選択画面
７７  開ボタン
７８  保存ボタン
７９  キャンセルボタン
【図１】
2008250645.tif 000003
【図２】
2008250645.tif 000004
【図３】
2008250645.tif 000005
【図４】
2008250645.tif 000006
【図５】
2008250645.tif 000007
【図６】
2008250645.tif 000008
【図７】
2008250645.tif 000009
【図８】
2008250645.tif 000010
【図９】
2008250645.tif 000011
【図１０】
2008250645.tif 000012
【図１１】
2008250645.tif 000013
【図１２】
2008250645.tif 000014
【図１３】
2008250645.tif 000015
【図１４】
2008250645.tif 000016
【図１５】
2008250645.tif 000017
【図１６】
2008250645.tif 000018
【図１７】
2008250645.tif 000019